(57)【要約】【課題】コンピュータシステムを構成する様々なデバイスの操作性や利便性を向上させる、コンピュータデバイス間の通信チャネル確立方法を提供する。【解決手段】ネットワークを介して接続されてコンピュータシステムを構成する各デバイスに、通信チャネルを確立する契機を与えるためのスイッチ手段及び通信チャネルが確立したことを確認する確認手段を設け、各デバイスが前記スイッチ手段の操作により、自己のアドレス情報をネットワークに広告すると共に他のデバイスから前記ネットワークに広告されているアドレス情報を受け取り、一対の各デバイス間でアドレス情報を交換することにより、各デバイス間の通信を確立して、前記それぞれのデバイスを前記通信チャネルで接続することで一つのコンピュータとして動作し得るようにする。【選択図】        図１
2004240667.tif 000002
【特許請求の範囲】
【請求項１】
ネットワークを介して接続されてコンピュータシステムを構成するディスプレイやキーボードや演算装置等のそれぞれのデバイス間に通信チャネルを確立する方法において、前記各デバイスが、前記通信チャネルを確立する契機を与えるためのスイッチ手段及び通信チャネルが確立したことを確認する確認手段をそれぞれ通信チャネルの数だけ有し、前記スイッチ手段の操作により、自己のデバイスにあらかじめ設定されている自己のアドレス情報を前記ネットワークに広告するステップと、他のデバイスから前記ネットワークに広告されているアドレス情報を受け取るステップと、一対の各デバイス間でアドレス情報を交換して、互いに接続相手のデバイスを特定することによって各デバイス間の通信を確立するステップと、該通信チャネルの確立を前記確認手段で確認するステップの各手順を有し、前記それぞれのデバイスを前記通信チャネルで接続することで一つのコンピュータとして動作し得るように通信チャネルを確立することを特徴とするコンピュータデバイス間の通信チャネル確立方法。
【請求項２】
前記接続相手のデバイスを特定するのに各デバイスの種類や、通信プロトコルの種類や製造ベンダ等の情報に基づいて通信の可能性を判断することを特徴とする請求項１に記載のコンピュータデバイス間の通信チャネル確立方法。
【請求項３】
ネットワークを介して接続されてコンピュータシステムを構成するディスプレイやキーボードや演算装置等のそれぞれのデバイス間に通信チャネルを確立する方法において、前記各デバイスが、前記通信チャネルを確立する契機を与えるためのスイッチ手段及び通信チャネルが確立したことを確認する確認手段を有し、前記スイッチ手段の操作により、自己のデバイスにあらかじめ設定されている自己のアドレス情報を前記ネットワークに広告するステップと、他のデバイスから前記ネットワークに広告されているアドレス情報を受け取るステップと、一対の各デバイス間でアドレス情報を交換して、互いに接続相手のデバイスを特定することによって各デバイス間の通信を確立するステップと、該通信チャネルの確立を前記確認手段で確認するステップの各手順を有し、複数のデバイスとの間の通信チャネルを確立する必要の或るデバイスＡと他のデバイスＢとの間には前記手順により通信チャネルを確立し、次いで前記デバイスＢから前記デバイスＡに前記確立済みの通信チャネルを介してチャネル確立要求を送り、該要求を受けた前記デバイスＡが、自己のスイッチ手段を操作した場合と同様に前記手順を実行し、さらに別のデバイスＣも同様に前記手順を実行することにより、前記デバイスＡとＣとの間に通信チャネルを確立するようにして、前記それぞれのデバイスを前記通信チャネルで接続することで一つのコンピュータとして動作し得るように通信チャネルを確立することを特徴とするコンピュータデバイス間の通信チャネル確立方法。
【請求項４】
前記接続相手のデバイスを特定するのに各デバイスの種類や、通信プロトコルの種類や製造ベンダ等の情報に基づいて通信の可能性を判断することを特徴とする請求項３に記載のコンピュータデバイス間の通信チャネル確立方法。
【請求項５】
前記或るデバイスＡを演算装置とし、前記他のデバイスＢをキーボードとし、該キーボードにおけるスイッチ手段を操作しながら前記キーボードの所定のキーを押すことによって、前記確立済みの通信チャネルを介して前記演算装置に前記チャネル確立要求を送り、該要求を受けた前記演算装置が、自己のスイッチ手段を操作した場合と同様な操作を実行して前記さらに別のデバイＣとの間に通信チャネルを確立することを特徴とする請求項３に記載のコンピュータデバイス間の通信チャネル確立方法。
【請求項６】
前記手順で前記デバイスのうちの或るデバイスＡとの間に通信チャネルを確立したデバイスＢが、さらにもう一つのデバイスＣからの前記デバイスＡの切り替え要求により、前記デバイスＡとの間に確立されている前記通信チャネルを開放して、前記デバイスＣとＡ、あるいはデバイスＣとＢ間にチャネルを確立することにより、デバイス間の通信チャネルを切り替えることを特徴とする請求項１に記載のコンピュータデバイス間の通信チャネル確立方法。
【請求項７】
ディスプレイやキーボードや演算装置等のデバイスがネットワークを介して接続されるコンピュータシステムにおいて、前記各デバイスが、接続相手のデバイスと通信チャネルを確立する契機を与えるためのスイッチ手段と、通信チャネルが確立されたことを確認するための確認手段を有し、且つ前記各デバイスが前記スイッチ手段の操作により、あらかじめ設定されている自己のアドレス情報を前記ネットワークに広告する機能と、他のデバイスから前記ネットワークに広告されるアドレス情報を受け取る機能と、前記アドレス情報を一対のデバイス間で交換することによって、互いに相手のデバイスを特定して当該デバイス間の通信を確立する機能と、当該通信チャネルが確立したことを前記確認手段で表示する機能とを備えて、各デバイスが前記通信チャネルで接続されることにより一つのコンピュータとして動作し得るようにしたことを特徴とするコンピュータシステム。
【請求項８】
ネットワークを介して接続される各デバイス間に通信チャネルを確立することで一つのコンピュータを構成する、ディスプレイやキーボードや演算装置等のコンピュータデバイスにおいて、当該デバイスが、接続相手のデバイスと通信チャネルを確立する契機を与えるためのスイッチ手段と、通信チャネルが確立されたことを確認するための確認手段を有すると共に、前記スイッチ手段の操作により、あらかじめ設定されている自己のアドレス情報を前記ネットワークに広告する機能と、他のデバイスから前記ネットワークに広告されるアドレス情報を受け取る機能と、前記アドレス情報を一対のデバイス間で交換することによって、互いに相手のデバイスを特定して当該デバイス間の通信を確立する機能と、当該通信チャネルが確立したことを前記確認手段で表示する機能とを備えていることを特徴とするコンピュータデバイス。
【発明の詳細な説明】
【０００１】
【発明の属する技術分野】
本発明は、ネットワークを介して接続されるコンピュータデバイス間の通信チャネル確立方法及びコンピュータシステム並びにコンピュータデバイスに関するものである。
【０００２】
【従来の技術】
従来、ネットワークを介して様々な装置を接続する形態には、コンピュータ同士を接続する形態と、コンピュータと入出力装置を接続する形態とに大別される２通りの接続形態がある。
【０００３】
前者の接続形態の代表的な例には、コンピュータ間でのファイル交換がある。具体的には、一方のコンピュータでファイルを共有するための設定を行い、他方のコンピュータにて、ネットワーク上に存在する複数のコンピュータの中から前記ファイルの共有設定を行なったコンピュータを選択して、このコンピュータに保管されているファイルを得るべくコンピュータ同士を接続する。
【０００４】
後者の接続形態の代表的な例には、プリンタの共有がある。具体的には、コンピュータにてネットワーク上に存在する複数のプリンタの中から適切な出力先のプリンタを選択し、該プリンタに出力ファイルを送信すべくコンピュータとプリンタを接続する。
【０００５】
以上のいずれの接続形態においても、コンピュータは接続先の装置などを選択する操作を行うので、そのための入出力デバイスが必要になる。通常、コンピュータはディスプレイとキーボードを前記入出力デバイスとして備えているので、これを前記接続先の装置の選択に利用している。このように入出力デバイスを用いてファイルやプリンタなどをネットワークを介して共有し得るようにすることは既知である（非特許文献１参照）。
【０００６】
一方、コンピュータの一部を構成するキーボードやマウスのような入出力デバイスには、赤外線や無線のネットワークを利用して、コンピュータの演算装置とワイヤレスで接続するものがある。このような入出力デバイスでは、入出力デバイスと演算装置との間をワイヤレスで接続するために、あらかじめ識別コードを両機器内に設定し、あるいはその設定を複数用意して、必要に応じて切り替えるなどの操作により、入出力デバイスと演算装置の組を決定していた（特許文献１参照）。
【０００７】
さらに、マウスにＲＦタグを組み込み、コンピュータ本体側にはＲＦタグの読取装置を装備しておき、マウスを特定のコンピュータに対して使用する際に、マウスを読取装置に近づけて、ＲＦタグに埋め込まれたマウスの識別情報（ＩＤ）を読み取らせ、コンピュータ本体側では、読み取ったＩＤを基にマウスを特定してコンピュータ本体とマウスとの間の通信チャネルを確立する方法も既知である（特許文献２参照）。
【０００８】
【非特許文献１】
「ゼロからはじめるＷｉｎｄｏｗｓ（登録商標）ネットワーク」アスキー社出版、２００２年９月２７日、ｐ．  ４−５
【特許文献１】
特開平１１−３４５０８３号公報（段落〔００１０〕，〔００１２〕，〔００１７〕，〔００１８〕、図２）
【特許文献２】
特開２００２−３４１９８３号公報（段落〔００４５〕，〔００４６〕、図１）
【０００９】
【発明が解決しようとする課題】
前述したように、ネットワークを介して接続される形態においては、コンピュータとコンピュータ、あるいはコンピュータと入出力デバイス間が接続されるのであって、コンピュータを構成するデバイスであるキーボードやマウスや記憶装置などのそれぞれのデバイスがネットワークで接続されることはなかった。また、前記特許文献１及び２に開示されているように、デバイス間を赤外線や無線によって接続するワイヤレスの接続法では、ワイヤレス通信の適用範囲が数メートル程度に限られたロケーション内でデバイス間の接続を確立することを想定しているのであって、使用者が異なるロケーションに移動してのデバイスの使用や、デバイス間の接続を切り替えるような使用には適していなかった。
【００１０】
このように、従来はコンピュータを構成するそれぞれのデバイスの組み合わせが固定的であり、移動しての作業や共同作業を行う上でデバイスの切り替えを実施することが煩雑であり、使いにくいものであった。例えば、一つのコンピュータを構成する場合においても、ディスプレイや記憶装置や演算装置の各デバイスを専用のケーブル等で接続する必要があり、異なるデバイスを利用するには前記ケーブル等を物理的に接続替えしなければならなかった。また、コンピュータを構成するデバイスの１つである大容量記憶装置には様々な情報が保持されているが、移動時には従来は入出力デバイスや記憶装置や演算装置を一体にしたノート型コンピュータを利用することがほとんどであった。また、共同作業を行う際には、ネットワークに接続されたコンピュータ間でファイルを交換したり、アプリケーションソフトをインストールすることで他のコンピュータの画面を見たりすることは可能であったが、キーボードと処理装置の接続や、ディスプレイと処理装置との接続を、他の処理装置に接続替えをすることは、物理的な接続替えを行う必要があり極めて不便であった。
【００１１】
そこで本発明は、コンピュータシステムを構成する様々なデバイスの操作性や利便性を向上させる、コンピュータデバイス間の通信チャネル確立方法及びコンピュータシステム並びにコンピュータデバイスを提供することを目的とする。
【００１２】
【課題を解決するための手段】
請求項１の発明は、ネットワークを介して接続されてコンピュータシステムを構成するディスプレイやキーボードや演算装置等のそれぞれのデバイス間に通信チャネルを確立する方法において、前記各デバイスが、前記通信チャネルを確立する契機を与えるためのスイッチ手段及び通信チャネルが確立したことを確認する確認手段をそれぞれ通信チャネルの数だけ有し、前記スイッチ手段の操作により、自己のデバイスにあらかじめ設定されている自己のアドレス情報を前記ネットワークに広告するステップと、他のデバイスから前記ネットワークに広告されているアドレス情報を受け取るステップと、一対の各デバイス間でアドレス情報を交換して、互いに接続相手のデバイスを特定することによって各デバイス間の通信を確立するステップと、該通信チャネルの確立を前記確認手段で確認するステップの各手順を有し、前記それぞれのデバイスを前記通信チャネルで接続することで一つのコンピュータとして動作し得るように通信チャネルを確立することを特徴とするコンピュータデバイス間の通信チャネル確立方法にある。
【００１３】
請求項２の発明は、請求項１に記載のコンピュータデバイス間の通信チャネル確立方法において、前記接続相手のデバイスを特定するのに各デバイスの種類や、通信プロトコルの種類や製造ベンダ等の情報に基づいて通信の可能性を判断することを特徴とする。
【００１４】
請求項３の発明は、ネットワークを介して接続されてコンピュータシステムを構成するディスプレイやキーボードや演算装置等のそれぞれのデバイス間に通信チャネルを確立する方法において、前記各デバイスが、前記通信チャネルを確立する契機を与えるためのスイッチ手段及び通信チャネルが確立したことを確認する確認手段を有し、前記スイッチ手段の操作により、自己のデバイスにあらかじめ設定されている自己のアドレス情報を前記ネットワークに広告するステップと、他のデバイスから前記ネットワークに広告されているアドレス情報を受け取るステップと、一対の各デバイス間でアドレス情報を交換して、互いに接続相手のデバイスを特定することによって各デバイス間の通信を確立するステップと、該通信チャネルの確立を前記確認手段で確認するステップの各手順を有し、複数のデバイスとの間の通信チャネルを確立する必要の或るデバイスＡと他のデバイスＢとの間には前記手順により通信チャネルを確立し、次いで前記デバイスＢから前記デバイスＡに前記確立済みの通信チャネルを介してチャネル確立要求を送り、該要求を受けた前記デバイスＡが、自己のスイッチ手段を操作した場合と同様に前記手順を実行し、さらに別のデバイスＣも同様に前記手順を実行することにより、前記デバイスＡとＣとの間に通信チャネルを確立するようにして、前記それぞれのデバイスを前記通信チャネルで接続することで一つのコンピュータとして動作し得るように通信チャネルを確立することを特徴とするコンピュータデバイス間の通信チャネル確立方法にある。
【００１５】
請求項４の発明は、請求項３に記載のコンピュータデバイス間の通信チャネル確立方法において、前記接続相手のデバイスを特定するのに各デバイスの種類や、通信プロトコルの種類や製造ベンダ等の情報に基づいて通信の可能性を判断することを特徴とする。
ことを特徴とする。
【００１６】
請求項５の発明は、請求項３に記載のコンピュータデバイス間の通信チャネル確立方法において、前記或るデバイスＡを演算装置とし、前記他のデバイスＢをキーボードとし、該キーボードにおけるスイッチ手段を操作しながら前記キーボードの所定のキーを押すことによって、前記確立済みの通信チャネルを介して前記演算装置に前記チャネル確立要求を送り、該要求を受けた前記演算装置が、自己のスイッチ手段を操作した場合と同様な操作を実行して前記さらに別のデバイＣとの間に通信チャネルを確立することを特徴とする。
【００１７】
請求項６の発明は、請求項１に記載のコンピュータデバイス間の通信チャネル確立方法において、前記手順で前記デバイスのうちの或るデバイスＡとの間に通信チャネルを確立したデバイスＢが、さらにもう一つのデバイスＣからの前記デバイスＡの切り替え要求により、前記デバイスＡとの間に確立されている前記通信チャネルを開放して、前記デバイスＣとＡ、あるいはデバイスＣとＢ間にチャネルを確立することにより、デバイス間の通信チャネルを切り替えることを特徴とする。
ことを特徴とする。
【００１８】
請求項７の発明は、ディスプレイやキーボードや演算装置等のデバイスがネットワークを介して接続されるコンピュータシステムにおいて、前記各デバイスが、接続相手のデバイスと通信チャネルを確立する契機を与えるためのスイッチ手段と、通信チャネルが確立されたことを確認するための確認手段を有し、且つ前記各デバイスが前記スイッチ手段の操作により、あらかじめ設定されている自己のアドレス情報を前記ネットワークに広告する機能と、他のデバイスから前記ネットワークに広告されるアドレス情報を受け取る機能と、前記アドレス情報を一対のデバイス間で交換することによって、互いに相手のデバイスを特定して当該デバイス間の通信を確立する機能と、当該通信チャネルが確立したことを前記確認手段で表示する機能とを備えて、各デバイスが前記通信チャネルで接続されることにより一つのコンピュータとして動作し得るようにしたことを特徴とするコンピュータシステムにある。
【００１９】
請求項８の発明は、ネットワークを介して接続される各デバイス間に通信チャネルを確立することで一つのコンピュータを構成する、ディスプレイやキーボードや演算装置等のコンピュータデバイスにおいて、当該デバイスが、接続相手のデバイスと通信チャネルを確立する契機を与えるためのスイッチ手段と、通信チャネルが確立されたことを確認するための確認手段を有すると共に、前記スイッチ手段の操作により、あらかじめ設定されている自己のアドレス情報を前記ネットワークに広告する機能と、他のデバイスから前記ネットワークに広告されるアドレス情報を受け取る機能と、前記アドレス情報を一対のデバイス間で交換することによって、互いに相手のデバイスを特定して当該デバイス間の通信を確立する機能と、当該通信チャネルが確立したことを前記確認手段で表示する機能とを備えていることを特徴とするコンピュータデバイスにある。
【００２０】
上記本発明によれば、コンピュータを構成する様々なデバイスをネットワークに直接接続し、該ネットワークを介してデバイス間の通信チャネルを確立するのであって、通信チャネルの設定を行なうためのキーボードや、表示を行うためのディスプレイを具備していないデバイスでも、押しボタンなどのスイッチ手段や表示ランプのような確認手段といった簡易な入出力装置を設けることで、通信チャネルの確立には、例えば前記押しボタンを押下したことを契機に、自己のアドレス情報をネットワークに広告すると共に、他のデバイスからの広告を受け付けることで、２つのデバイス間のチャネルを容易に確立することができる。また、一旦確立したデバイス間の通信チャネルを同様な手順により別のデバイスとの接続に変更する機能により、デバイスを容易に切り替えることができる。
【００２１】
【発明の実施の形態】
以下、本発明の実施の形態を図面を参照して説明する。
【００２２】
〔実施例１〕
図１は本発明の請求項１を説明するためのシステム構成図である。１は押しボタン、２は不揮発メモリ、３は確認手段の表示ランプであって、これらはすべてのデバイスに具備されている。１１は記憶装置、１２はディスプレイ、１３は演算装置、１４はキーボードであって、これらはコンピュータシステム１０を構成するデバイスであり、それぞれがネットワークに接続されている。各デバイス１１〜１４には、一意のアドレス情報が図示しないＲＯＭに書き込まれるなどしてあらかじめ設定されている。
【００２３】
前記各デバイス１１〜１４は、ネットワークを介して通信チャネルを確立する契機を与えるためのスイッチ手段としての前記押しボタン１と、通信チャネルを確立する相手のデバイスのアドレスを格納する前記不揮発メモリ２と、通信チャネルの確立を確認するための前記表示ランプ３とを備えており、さらに、前記押しボタン１を押すことによりあらかじめ設定されている自己のアドレス情報をネットワークに広告する機能と、他のデバイスからネットワークに広告されているアドレス情報を受け取る機能と、それぞれのアドレス情報を一対のデバイス間で交換することによって、お互いに相手のデバイスを特定して、当該デバイス間の通信を確立する機能と、通信チャネルが確立したことを表示ランプ３で表示して確認する機能を有している。
【００２４】
次いで、図２のフローチャートを参照して、キーボード１４と演算装置１３とを例にして、これらのデバイス間に通信チャネルを確立する動作手順を説明する。
【００２５】
先ず、デバイスの一種であるキーボード１４の押しボタン１を押すと（ステップＳ０１）、キーボード１４はネットワークに自分のアドレス情報を広告し（ステップＳ０２）、且つネットワークに広告される他のデバイスの広告を受信する。ここで、キーボード１４とは別のデバイスである演算装置１３でも同様に押しボタン１を押すと、キーボード１４は演算装置１３からの広告を受信し（ステップＳ０３）、演算装置１３のアドレス情報を得る（ステップＳ０４）。この際、演算装置１３でも同様にキーボード１４からネットワークに広告されているアドレス情報を得るので、キーボード１４と演算装置１３では通信が可能な相手であることを互いに確認（ステップＳ０５）し、確認できれば相手のアドレスを自身の不揮発メモリ２に記録すると共に表示ランプ３を点灯させる（ステップＳ０６）。以後のデバイス間の通信は、不揮発メモリ２に記録されたアドレスの相手と行う。
【００２６】
なお、前記ステップＳ０５の通信相手の確認には、例えば、演算装置１３やキーボード１４といったデバイスの種類を特定する情報をそれぞれ自己のＲＯＭにあらかじめ記録しておき、この情報をお互いに交換して、自身と通信可能な相手であるかを確認する。あるいは、別の例では、通信プロトコルの種類や、製造ベンダなどの情報で通信の可能性を判断することも可能である。
【００２７】
前記手順では、押しボタン１を押す契機でアドレス情報の交換を行っていたが、このようなアドレス情報の交換は、各デバイスの電源を入れる度に実施してもよく、その場合にはアドレス情報を記録するメモリは不揮発性でなくてもよい。
【００２８】
図１のコンピュータシステム１０を構成するためには、演算装置１３とキーボード１４との間だけでなく、演算装置１３と記憶装置１１との間及び演算装置１３とディスプレイ１２との間にもネットワークを介して通信チャネルを確立する必要があり、このために演算装置１３は、必要とする通信チャネルの数だけ、この場合には３つの押しボタン１と３つの不揮発メモリを備えている（図１ではそれぞれ１つづつ図示してあるだけである）。
【００２９】
前記図２の手順を記憶装置１１と演算装置１３、及びディスプレイ１２と演算装置１３にも行うことで図１のようなコンピュータシステム１０を構成する。
【００３０】
一方、ネットワークには、コンピュータシステム１０が必要としないその他のデバイス１５も存在するので、誤ってこのデバイス１５との通信チャネルが確立されることがある。このような場合には、デバイス１５の表示ランプＬが点灯し、通信チャネルを確立したい相手のデバイスの表示ランプが点灯しないので、押しボタン１を再度押して通信チャネルの確立を再試行する。
【００３１】
〔実施例２〕
図３は本発明の請求項３を説明するための動作手順を示すフローチャートである。前記実施例１では、演算装置１３がそれぞれ３つづつの押しボタン１と不揮発メモリ２を必要としたが、この例ではキーボード１４の操作によって演算装置１３の押しボタンが１つであっても他のデバイスとの通信チャネルを確立できるようにする。
【００３２】
最初に、演算装置１３の押しボタン１を押し（ステップＳ１１）、またキーボード１４の押しボタン１を押して（ステップＳ１２）、実施例１で説明した手順と同様にして、演算装置１３とキーボード１４との間に通信チャネル２１を確立する（ステップＳ１３）。この際、演算装置１３とキーボード１４の各表示ランプ３の点灯により通信チャネル２１の確立が確認される。
【００３３】
次に、演算装置１３と記憶装置１１との間に通信チャネルを確立するための操作を行う。この場合には、演算装置１３の図示しない第２の押しボタンを押す代わりに、キーボード１４のキー操作を行う。例えば、キーボード１４の押しボタン１を押しながらキーボード１４の図示してない所定のアルファベットキー、例えば「Ａ」のキーを押す（ステップＳ１４）。これによって、既に確立されている通信チャネル２１を介して、キーボード１４から演算装置１３にチャネル確立要求を送る（ステップＳ１５）。このチャネル確立要求を受けた演算装置１３は、自身の押しボタン１を押した場合と同様に、図２の手順を実行し（ステップＳ１６）、演算装置１３は自分のアドレス情報を再度ネットワークに広告する。ここで記憶装置１１の押しボタン１を押すと、図２の手順と同様に、演算装置１３は記憶装置１１からの広告を受信し、記憶装置１３のアドレス情報を獲得し、また記憶装置１１でも同様に演算装置１３からネットワークに広告されているアドレス情報を得るので、演算装置１３と記憶装置１１では通信が可能であることを互いに確認し（ステップＳ１７）、確認できれば演算装置１３は相手の記憶装置１１のアドレスを自身の不揮発メモリに記録すると共に表示ランプ３を点灯させ、また記憶装置１１は相手の演算装置１３のアドレスを自身の不揮発メモリ２に記録すると共に表示ランプ３を点灯させ、演算装置１３と記憶装置１１との間の通信チャネルを確立する（ステップＳ１８）。
【００３４】
このように、演算装置１３の押しボタンは１つであっても、キーボード１４の操作で演算装置１３と他のデバイスとの通信チャネルを確立することができる。なお、上述した手順は、演算装置１３とキーボード１４との組み合わせの例であって、他の種類のデバイス間にも適用し得ることは勿論である。
【００３５】
〔実施例３〕
図４は本発明の請求項６を説明するためのシステム構成図であり、図５はその動作手順を示すフローチャートである。この例は、例えばディスプレイ１２との間に通信チャネル２２が確立されている演算装置１３を他の演算装置２３に接続替えする例である。
【００３６】
図４は、演算装置１３とディスプレイ１２との間に図２の手順により通信チャネル２２がすでに確立されていて、演算装置１３の処理結果がディスプレイ１２に表示されており、また、演算装置１３が他の演算装置２３と通信チャネル２４を介して通信できる状態にあるものとする。
【００３７】
図５のフローチャートで処理の流れを説明する。最初に、切り替え相手である演算装置２３が演算装置１３に通信チャネル２４を介してディスプレイ１２の切り替え要求を送信する（ステップＳ２１）。この要求を受信した演算装置１３は、前記要求を受け入れるか否かを判断し（ステップＳ２２）、受け入れるのであれば、演算装置１３は既に確立されているチャネル２２を開放し（ステップＳ２３）、他の演算装置２３にディスプレイ１２のアドレスを通知する（ステップＳ２４）。最後に、演算装置２３は図２の手順と同様に、ネットワークを介してディスプレイ１２に自分のアドレスを通知し、演算装置２３とディスプレイ１２との間に通信チャネルを確立する（ステップＳ２５）。これにより、演算装置２３の処理結果がディスプレイ１２に表示されるようになる。
【００３８】
【発明の効果】
本発明によれば、コンピュータを構成する様々なデバイスをネットワークに接続し、単純な手順を行なうだけで、デバイス間接続のための煩雑なケーブルを不要とし、コンピュータシステムを限られたロケーション内だけでなく、異なるロケーションに移動しての利用が可能である。また、デバイスの切り替えを物理的な接続替えを行うことなく、単純な手順で実施することができる。
【図面の簡単な説明】
【図１】本発明による実施例１のシステム構成図である。
【図２】本発明による実施例１のフローチャートである。
【図３】本発明による実施例２のフローチャートである。
【図４】本発明による実施例３のシステム構成図である。
【図５】本発明による実施例３のフローチャートである。
【符号の説明】
１  押しボタン
２  不揮発メモリ
３  表示ランプ
１０  コンピュータシステム
１１  記憶装置
１２  ディスプレイ
１３  演算装置
１４  キーボード
１５  その他のデバイス
２１，２２，２４  通信チャネル
２３  他の演算装置
【図１】
2004240667.tif 000003
【図２】
2004240667.tif 000004
【図３】
2004240667.tif 000005
【図４】
2004240667.tif 000006
【図５】
2004240667.tif 000007